(57)【要約】【課題】  利用者の手が届かない位置に表示されている画像の操作を行うことができる画像表示制御装置及び画像表示制御プログラムを提供する。【解決手段】  まず、図４に示す表示部１２上の点Ａが利用者によりタッチされ、画像集めモードに切り替えられると（ステップＳ１０）、タッチされた点Ａの座標（Ｘａ，Ｙａ）が検知される（ステップＳ１２）。次に、移動させる画像（移動対象画像）が選択される（ステップＳ１４）。その次に、ステップＳ１４において選択された画像２４が点Ａの方向に移動される（ステップＳ１６）。そして、利用者の手が表示部１２から離れてタッチが解除されたことが検知されると（ステップＳ１８）、画像の移動が終了する（ステップＳ２０）。これにより、画像２４に直接タッチすることなく、画像２４を利用者の座席側に取り寄せることができ、画像２４を容易に手元に集めることができる。また、画像分散モードにすることにより、画像２４を利用者の手が届かない位置に移動させることができる。【選択図】      図５
2006048138.tif 000002
【特許請求の範囲】
【請求項１】
画像を入力する画像入力手段と、
前記画像入力手段から入力された画像を表示する画像表示手段と、
前記画像表示手段上の任意の点を指示するポインティングデバイスと、
前記ポインティングデバイスにより前記画像表示手段上の点が指示された際に、前記指示された点の位置座標を検出する位置検出手段と、
前記画像表示手段の表示モードを設定するモード設定手段と、
前記ポインティングデバイスからの入力信号に基づいて、前記画像表示手段に表示された画像の表示を制御する制御手段とを備え、
前記制御手段は、画像集めモード又は画像分散モードに設定された際に、前記ポインティングデバイスにより前記画像表示手段上の点が指示された際に、前記画像表示手段に表示された画像をそれぞれ前記指示された点の方向、又は前記指示された点の反対方向に移動させることを特徴とする画像表示制御装置。
【請求項２】
前記画像表示手段は、複数の利用者に割り当てられた表示領域を有し、
前記制御手段は、前記ポインティングデバイスにより前記表示領域の点が指示された際に、前記表示領域内に表示された画像を移動させることを特徴とする請求項１記載の画像表示制御装置。
【請求項３】
前記制御手段は、前記画像表示手段が指示されている間だけ前記画像を移動させることを特徴とする請求項１又は２記載の画像表示制御装置。
【請求項４】
前記制御手段は、前記指示されてからの経過時間、指示された点からの画像までの距離、又はクリックされた回数に応じて、前記画像を移動させる際の加速度を変化させることを特徴とする請求項１から３のいずれか１項記載の画像表示制御装置。
【請求項５】
前記ポインティングデバイスは、前記画像表示手段上に設けられたタッチパネルであり、
前記制御手段は、タッチされた面積、又はタッチされた点の数に応じて、前記画像を移動させる際の加速度を変化させることを特徴とする請求項１から３のいずれか１項記載の画像表示制御装置。
【請求項６】
前記ポインティングデバイスは、前記画像表示手段上に設けられたタッチパネルであり、
前記タッチされた点の圧力を検知する圧力検知手段を更に備え、
前記制御手段は、前記タッチの圧力に応じて、前記画像を移動させる際の加速度を変化させることを特徴とする請求項１から３のいずれか１項記載の画像表示制御装置。
【請求項７】
前記画像表示手段に表示された画像の種類を認識する認識手段を更に備え、
前記制御手段は、前記ポインティングデバイスにより前記画像表示手段上の点に所定の操作が加えられた際に、前記画像表示手段に表示された画像の中から所定の種類の画像を選択し、前記選択された画像を移動させることを特徴とする請求項１から６のいずれか１項記載の画像表示制御装置。
【請求項８】
前記ポインティングデバイスは、前記画像表示手段上に設けられたタッチパネルであり、
前記制御手段は、前記画像表示手段のタッチされた点の数、又はタッチされた回数に応じて、前記移動させる画像の種類を選択することを特徴とする請求項７記載の画像表示制御装置。
【請求項９】
画像表示手段に画像を表示させる機能と、
ポインティングデバイスにより前記画像表示手段上の点が指示された際に、前記指示された点の位置座標を検出する機能と、
前記画像表示手段に表示された画像を前記指示された点の方向、又は前記指示された点の反対方向に移動させる機能と、
をコンピュータに実現させることを特徴とする画像表示制御プログラム。
【発明の詳細な説明】
【技術分野】
【０００１】
本発明は画像表示制御装置及び画像表示制御プログラムに係り、特にポインティングデバイス等を用いて画面に表示されている画像の移動操作を行う画像表示制御装置及び画像表示制御プログラムに関する。
【背景技術】
【０００２】
従来、パーソナルコンピュータや携帯情報端末（ＰＤＡ）等において、マウスや入力ペン等のポインティングデバイスを用いて画面上に表示されている画像を指示しながら移動（ドラッグ）すると、そのドラッグ操作に追随して画像を画面上の所望の位置まで移動させるＧＵＩが用いられている。例えば、特許文献１には、タッチパネル上に表示されている操作ボタン等のタッチ操作部材をドラッグ操作に付いて移動させる制御部を有する表示装置について開示されている。
【０００３】
上記特許文献１に開示されている表示装置は、一般に１人のユーザにより操作されることを想定し、指や入力ペン等のポインティングデバイスが直接触れる範囲にタッチ操作部材が表示されることを前提としてＧＵＩの設計が行われている。
【０００４】
ところで、特許文献２には、喫茶店やレストラン等において、利用者が持参した媒体から画像データを読み取り、画像を加工してプリンタに出力する情報端末テーブルが開示されている。特許文献２に開示された情報端末テーブルによれば、１つのテーブルを１グループで利用することで、画像の表示や加工、印刷を楽しむことができる。このような場合には、天板上の画像を表示する領域はできるだけ大きく、グループ全員で画像を自由に操作できるほうが都合がよい。
【特許文献１】特開２００４−７０４９２号公報
【特許文献２】特開２００２−２３６９７２号公報
【発明の開示】
【発明が解決しようとする課題】
【０００５】
上記特許文献２に係る情報端末テーブルにおいては、表示領域が大きい場合にも、利用者の手が届かない領域に表示されている画像に操作を行う必要がある。しかしながら、従来の表示装置のＧＵＩ（例えば、特許文献１）によれば、利用者の手が届かない範囲に表示されている画像の操作を行うことができないという問題があった。
【０００６】
本発明はこのような事情に鑑みてなされたもので、利用者の手が届かない位置に表示されている画像の操作を行うことができる画像表示制御装置及び画像表示制御プログラムを提供することを目的とする。
【課題を解決するための手段】
【０００７】
上記目的を達成するために請求項１に係る画像表示制御装置は、画像を入力する画像入力手段と、前記画像入力手段から入力された画像を表示する画像表示手段と、前記画像表示手段上の任意の点を指示するポインティングデバイスと、前記ポインティングデバイスにより前記画像表示手段上の点が指示された際に、前記指示された点の位置座標を検出する位置検出手段と、前記画像表示手段の表示モードを設定するモード設定手段と、前記ポインティングデバイスからの入力信号に基づいて、前記画像表示手段に表示された画像の表示を制御する制御手段とを備え、前記制御手段は、画像集めモード又は画像分散モードに設定された際に、前記ポインティングデバイスにより前記画像表示手段上の点が指示された際に、前記画像表示手段に表示された画像をそれぞれ前記指示された点の方向、又は前記指示された点の反対方向に移動させることを特徴とする。
【０００８】
請求項１に係る画像表示制御装置によれば、利用者の手が届かない位置に表示されている画像を、画像表示手段上で直接タッチすることなく手元に取り寄せることができる。また、利用者の手が届かない位置に画像を移動させることができる。
【０００９】
請求項２に示すように請求項１に係る画像表示制御装置において、前記画像表示手段は、複数の利用者に割り当てられた表示領域を有し、前記制御手段は、前記ポインティングデバイスにより前記表示領域の点が指示された際に、前記表示領域内に表示された画像を移動させることを特徴とする。
【００１０】
請求項２に係る画像表示制御装置によれば、複数の利用者で利用する場合に、自分の画像の管理が容易である。
【００１１】
請求項３に示すように請求項１又は２に係る画像表示制御装置において、前記制御手段は、前記画像表示手段が指示されている間だけ前記画像を移動させることを特徴とする。
【００１２】
請求項４に示すように請求項１から３に係る画像表示制御装置において、前記制御手段は、前記指示されてからの経過時間、指示された点からの画像までの距離、又はクリックされた回数に応じて、前記画像を移動させる際の加速度を変化させることを特徴とする。
【００１３】
また、請求項５に示すように請求項１から３に係る画像表示制御装置において、前記ポインティングデバイスは、前記画像表示手段上に設けられたタッチパネルであり、前記制御手段は、タッチされた面積、又はタッチされた点の数に応じて、前記画像を移動させる際の加速度を変化させることを特徴とする。
【００１４】
請求項６に示すように請求項１から３に係る画像表示制御装置において、前記ポインティングデバイスは、前記画像表示手段上に設けられたタッチパネルであり、前記タッチされた点の圧力を検知する圧力検知手段を更に備え、前記制御手段は、前記タッチの圧力に応じて、前記画像を移動させる際の加速度を変化させることを特徴とする。
【００１５】
請求項７に示すように請求項１から６に係る画像表示制御装置において、前記画像表示手段に表示された画像の種類を認識する認識手段を更に備え、前記制御手段は、前記ポインティングデバイスにより前記画像表示手段上の点に所定の操作が加えられた際に、前記画像表示手段に表示された画像の中から所定の種類の画像を選択し、前記選択された画像を移動させることを特徴とする。
【００１６】
請求項７に係る画像表示制御装置によれば、画像表示手段上において画像を種類別に整理することができる。
【００１７】
請求項８に示すように請求項７に係る画像表示制御装置において、前記ポインティングデバイスは、前記画像表示手段上に設けられたタッチパネルであり、前記制御手段は、前記画像表示手段のタッチされた点の数、又はタッチされた回数に応じて、前記移動させる画像の種類を選択することを特徴とする。
【００１８】
また、請求項９に係る画像表示制御プログラムは、画像表示手段に画像を表示させる機能と、ポインティングデバイスにより前記画像表示手段上の点が指示された際に、前記指示された点の位置座標を検出する機能と、前記画像表示手段に表示された画像を前記指示された点の方向、又は前記指示された点の反対方向に移動させる機能とをコンピュータに実現させることを特徴とする。
【発明の効果】
【００１９】
本発明によれば、タッチパネル上に表示されている画像を操作する場合に、利用者の手が届かない位置に表示されている画像を容易に手元に取り寄せたり、手の届かない位置に移動させたりすることができる。
【発明を実施するための最良の形態】
【００２０】
以下、添付図面に従って本発明に係る画像表示制御装置及び画像表示制御プログラムの好ましい実施の形態について説明する。図１は、本発明の一実施形態に係る画像表示制御装置（画像表示制御テーブル）を示す斜視図である。
【００２１】
図１に示すように、本実施形態の画像表示制御装置１０は円卓状であり、表面に画像を表示する表示部１２が設けられている。上記の画像表示制御装置１０は、例えば、喫茶店やレストラン等の店舗に設置される。
【００２２】
表示部１２は、例えば、有機ＥＬ（electro-luminescence）や液晶ディスプレイ（ＬＣＤ）、電子ペーパー等であり、タッチパネルとなっている。表示部１２における指や入力ペン（スタイラスペン）等によるタッチ操作の検出方法としては、アナログ容量結合方式や超音波方式、抵抗膜方式、赤外線方式等を用いることができる。
【００２３】
なお、本実施形態においては、表示部１２における画像の操作手段（図２における操作部１６）として表示部１２の全面にタッチパネルを設けたが、本発明はこれに限定されるものではなく、例えば、マウスやペンタブレット等のポインティングデバイスを用いてもよい。
【００２４】
表示部１２には、座席（図示されず）に対応した４つの専有領域Ａ、Ｂ、Ｃ及びＤと共有領域Ｘが設けられている。専有領域Ａ、Ｂ、Ｃ及びＤはそれぞれ利用者が各々の画像データの表示や操作を行う領域であり、共有領域Ｘはあらかじめすべての専有領域Ａ、Ｂ、Ｃ及びＤとの間で相互に画像データの移動又はコピーが許可（共有許可）されている領域である。
【００２５】
また、図１に示すように、表示部１２の図における下面には、利用者の画像の入出力を行うメディアリーダ／ライタ（図３の符号３０）等を備える入出力部１４が各専有領域ごとに１つずつ取り付けられている。
【００２６】
なお、共有領域や専有領域の数や形状については、図１に限定されるものではない。また、図１に示す画像表示テーブル１２は円卓であるが、本発明はこれに限定されるものではなく、四角いテーブルやカウンタテーブルであってもよい。なお、この場合、専有領域及び共有領域の形状は、テーブルの形状や席数に応じて異なった形状となる。
【００２７】
図２は、本発明の一実施形態に係る画像表示制御装置の構成を示すブロック図である。図２に示すように、画像表示制御装置１０は、上述の表示部１２と、入出力部１４と、操作部１６と、中央処理装置（ＣＰＵ）１８と、メモリ２０と、通信Ｉ／Ｆ２２とを含んでいる。
【００２８】
操作部１６は、画像表示制御装置１０を操作するための装置であり、上述のように本実施形態においてはタッチパネルである。
【００２９】
ＣＰＵ１８は、画像表示制御装置１０を統括制御する制御部である。ＣＰＵ１８は、操作部１６等からの入力に基づいて画像表示制御装置１０の動作を制御する。
【００３０】
メモリ２０には、ＣＰＵ１８が処理するプログラム及び制御に必要な各種データ等が格納されるＲＯＭや、入出力部１４を介して入力した画像や画像の表示位置座標が格納される記憶領域及びＣＰＵ１８が各種の演算処理等を行う作業用領域となるＳＤＲＡＭ（Synchronous Dynamic RAM）等が含まれている。
【００３１】
通信Ｉ／Ｆ２２は、ＬＡＮに接続するための機器で、所定のプロトコルにしたがって各種データの送受信を行う。
【００３２】
図３は、入出力部１４を拡大して示す斜視図である。入出力部１４は、記録メディアに画像データを入出力するメディアリーダ／ライタ３０と、画像に音声入出力を行うためのマイクやヘッドホン等を接続するジャック３２とを備えている。メディアリーダ／ライタ３０は、ｘＤピクチャカードやコンパクトフラッシュ（ＣＦ）カード、スマートメディア、ＳＤメモリカード（登録商標）、ＰＣカード等の半導体メモリ、フレキシブルディスクや光磁気（ＭＯ）ディスク、ＣＤ−Ｒ／ＲＷ、ＤＶＤ−ＲＡＭ、ＤＶＤ−Ｒ／ＲＷ等の各種記録メディアに対応している。なお、図３においては、メディアリーダ／ライタ３０は１つの記録メディア挿入口として簡略化されている。
【００３３】
また、入出力部１４は、有線通信やＩｒＤＡ（Infrared Data Association）やBluetooth等の無線通信に対応しており、デジタルカメラやカメラ付き携帯電話等との間で直接画像データを送受信することもできる。
【００３４】
以下、画像表示制御装置１０の利用方法について説明する。利用者がメディアリーダ／ライタ３０に記録メディアを挿入すると、記録メディアに記録されている画像データが読み取られ、表示部１２に読み取られた画像データが一覧表示される。
【００３５】
利用者は、操作部１６を操作して、画像の表示位置の移動、拡大／縮小、印刷指示、セーブ／消去又は動画再生等の操作を行う。また、音声付の画像の場合にはジャック３２（図３参照）を利用して音声を聞くこともできる。また、利用者は、操作部１６を操作して、画像への書き込み、画像の色合い等の調整、画像とテンプレート等との合成、シールやインデックスプリントの作成、ジャック３２からの音声入力等、さまざまな加工を施すことができる。
【００３６】
なお、利用者が持ち込んだ画像のほかに、例えば、店内（例えば、画像表示制御装置１２上）にカメラ（定点カメラ）等を設置して、このカメラによって撮影された画像についても上述のような操作等が行えるようにしてもよい。
【００３７】
利用者はメディアリーダ／ライタ３０により加工した画像データをファイル出力して持ち帰ることができる。また、画像表示制御装置１０はＬＡＮを介して図示せぬプリンタに接続されており、各利用者は画像の印刷を行うことができる。なお、プリンタには通常の印刷用紙のほか、例えば、ラメ加工やシール加工等が施された用紙が搭載されており、各利用者は印刷用紙を選択できる。
【００３８】
以下、画像表示制御装置１０に表示されている画像の移動操作方法について、図４及び図５を参照して説明する。図４は、本発明の一実施形態に係る画像の移動操作方法を模式的に示す図である。図４の矩形の領域２４は表示部１２に表示されている画像であり、説明のためｘｙ座標軸が示されている。
【００３９】
図５は、本発明の一実施形態に係る画像の移動操作方法を示すフローチャートである。まず、図４に示す表示部１２上の点Ａが利用者によりタッチされメニュー選択により、画像集めモードに切り替えられ（ステップＳ１０）、タッチされた点Ａの座標（Ｘａ，Ｙａ）が検知される（ステップＳ１２）。なお、ステップＳ１０においては、操作部（タッチパネル）１６のタッチ時間、タッチ圧力、タッチした指の数や回数等に応じて、自動的に画像集めモードに切り替えるようにしてもよい。
【００４０】
次に、移動させる画像（移動対象画像）が選択される（ステップＳ１４）。ステップＳ１４においては、タッチされた点Ａがある専有領域内の画像２４がすべて移動対象画像として選択される。
【００４１】
なお、ステップＳ１４においては、画像２４にあらかじめ分類情報（例えば、利用者の画像や犬の画像等）を付与しておき、例えば、タッチする指の数やタッチ回数、メニュー選択等の所定の操作により所望の分類の画像２４のみを移動対象画像として選択できるようにしてもよい。この場合、利用者は画像を分類ごとに集めることができ、表示部１２上の画像の整理を容易に行うことができる。また、この場合、画像２４の分類情報は、画像表示制御装置１０による画像認識（例えば、被写体や背景の色、大きさ等）により自動的に付与されるようにしてもよい。
【００４２】
その次に、ステップＳ１４において選択された画像２４が点Ａの方向に移動される（ステップＳ１６）。そして、利用者の手が表示部１２から離れてタッチが解除されたことが検知されると（ステップＳ１８）、画像の移動が終了する（ステップＳ２０）。これにより、図４に示すように、直接タッチすることなく、画像２４を利用者の座席側に取り寄せることができ、例えば、利用者が画像表示制御装置１０の利用をやめて帰る際等に画像２４を容易に手元に集めることができる。
【００４３】
なお、上記のステップＳ１６において、画像２４を移動させる際の速度は、等速でも非等速でもよい。画像２４を非等速で移動させる場合、加速度は一定でもよいし、例えば、点Ａがタッチされてからの経過時間やタッチ圧力、点Ａから画像までの距離、タッチ回数、タッチされた面積（掌等）、タッチされた点の数（指の数等）により加速度が変化するようにしてもよい。また、以下の式（１）又は（２）で示される加速度ａを用いてもよい。なお、式（１）及び（２）において、Ｋは比例定数であり、ｒはタッチされた点Ａから各画像２４までの距離である。
【００４４】
ａ＝Ｋ／ｒ２          （１）
ａ＝Ｋ・ｒ２          （２）
式（１）の場合、点Ａから近い位置に表示されている画像２４ほど加速度ａの値が大きくなる。一方、式（２）の場合、点Ａから遠い位置に表示されている画像２４ほど加速度ａの値が大きくなる。
【００４５】
また、本実施形態においては、利用者によりタッチが解除された（操作部（タッチパネル）１６から手を離した）場合に、画像の移動を終了するようにしたが、タッチ解除の前に（例えば、画像２４が点Ａから所定の距離内に集まった場合等）画像２４の移動を終了するようにしてもよいし、タッチ解除後所定の時間経過するか、又は所定の距離画像が移動するまで画像２４の移動を継続してもよい。
【００４６】
また、本実施形態においては、画像分散モードを設けて表示部１２の特定の位置に集まっている画像２４を分散配置させることもできる。この場合、上記の図４及び図５の例と同様にして、移動対象画像を点Ａの逆方向に移動させる。また、画像分散モードでは、画像２４が専有領域にまんべんなく行き渡るように自動的にレイアウトされるようにしてもよい。
【図面の簡単な説明】
【００４７】
【図１】本発明の一実施形態に係る画像表示制御装置を示す斜視図
【図２】本発明の一実施形態に係る画像表示制御装置の構成を示すブロック図
【図３】入出力部１４を拡大して示す斜視図
【図４】本発明の一実施形態に係る画像の移動操作方法を模式的に示す図
【図５】本発明の一実施形態に係る画像の移動操作方法を示すフローチャート
【符号の説明】
【００４８】
１０…画像表示制御装置、１２…表示部、１４…入出力部、１６…操作部、１８…ＣＰＵ、２０…メモリ、２２…通信Ｉ／Ｆ
【図１】
2006048138.tif 000003
【図２】
2006048138.tif 000004
【図３】
2006048138.tif 000005
【図４】
2006048138.tif 000006
【図５】
2006048138.tif 000007